(57)【要約】【課題】長期間の使用による照度低下を抑制できる画像表示装置及び放電灯の駆動方法を提供すること。【解決手段】放電灯９０の駆動電圧を検出する電圧検出部と、放電灯９０の駆動電圧と放電灯への供給電力とが対応付けられた対応データを記憶する記憶部３と、電圧検出部で検出された放電灯９０の駆動電圧と対応データとに基づいて、放電灯９０への供給電力を制御する制御部２とを含む。記憶部３に記憶される対応データは、放電灯９０の駆動電圧が大きくなるほど放電灯９０への供給電力が大きくなるように、駆動電圧と供給電力とが対応付けられたデータである。【選択図】図１
2010205601.tif 000002
【特許請求の範囲】
【請求項１】
放電灯の駆動電圧を検出する電圧検出部と、
前記放電灯の駆動電圧と前記放電灯への供給電力とが対応付けられた対応データを記憶する記憶部と、
前記電圧検出部で検出された前記放電灯の駆動電圧と前記対応データとに基づいて、前記放電灯への供給電力を制御する制御部とを含むことを特徴とする画像表示装置。
【請求項２】
請求項１に記載の画像表示装置において、
前記記憶部に記憶される前記対応データは、前記放電灯の駆動電圧が大きくなるほど前記放電灯への供給電力が大きくなるように前記駆動電圧と前記供給電力とが対応付けられていることを特徴とする画像表示装置。
【請求項３】
請求項２に記載の画像表示装置において、
前記記憶部に記憶される前記対応データは、前記放電灯の駆動電圧が基準電圧以上となる範囲では、前記放電灯への供給電力が一定値となるように前記駆動電圧と前記供給電力とが対応付けられていることを特徴とする画像表示装置。
【請求項４】
放電灯の駆動電圧を検出し、
前記放電灯の駆動電圧と前記放電灯への供給電力とが対応付けられた対応データに基づいて、前記放電灯への供給電力を制御することを特徴とする放電灯の駆動方法。
【発明の詳細な説明】
【技術分野】
【０００１】
本発明は、画像表示装置及び放電灯の駆動方法に関する。
【背景技術】
【０００２】
光源として高圧水銀ランプやメタルハライドランプ等の放電灯（ランプ）を使用したプロジェクターが知られている。また、このようなプロジェクターとしては、放電灯の定常点灯時においては、定電力を放電灯に供給して駆動するプロジェクターが知られている。
【先行技術文献】
【特許文献】
【０００３】
【特許文献１】特開２００８−１４０６５７号公報
【発明の概要】
【発明が解決しようとする課題】
【０００４】
放電灯の駆動電圧は放電灯の電極間距離（すなわち、放電灯の劣化状態）との相関が高く、例えば放電灯においては、放電灯の電極間距離が大きくなる（すなわち、放電灯の電極が劣化する）にしたがって放電灯の駆動電圧は上昇する傾向にある。
【０００５】
図５は、放電灯の通算点灯時間と駆動電圧Ｖｌａとの関係の一例を示すグラフである。図５に示すように、放電灯を長期間使用すると、放電灯の駆動電圧はおおむね上昇傾向を示す。
【０００６】
定電力を放電灯に供給して駆動している場合、放電灯の駆動電圧が上昇すると放電灯の駆動電流が減少するため、放電灯の照度が低下する。加えて、放電灯の電極間距離が大きくなると、プロジェクターの光学系による集光領域から放電灯の発光領域の一部が外れることになるため、プロジェクター全体としての照度がさらに低下することになる。
【０００７】
したがって、特許文献１のように定電力を放電灯に供給して駆動した場合、長期間の使用による照度低下を避けることは困難である。
【０００８】
本発明は、以上のような問題点に鑑みてなされたものであり、長期間の使用による照度低下を抑制できる画像表示装置及び放電灯の駆動方法を提供することを目的とする。
【課題を解決するための手段】
【０００９】
本発明に係る画像表示装置は、放電灯の駆動電圧を検出する電圧検出部と、前記放電灯の駆動電圧と前記放電灯への供給電力とが対応付けられた対応データを記憶する記憶部と、前記電圧検出部で検出された前記放電灯の駆動電圧と前記対応データとに基づいて、前記放電灯への供給電力を制御する制御部とを含むことを特徴とする。
【００１０】
本発明によれば、放電灯の駆動電圧に応じて放電灯への供給電力を制御することができる。したがって、長期間の使用による照度低下を抑制できる画像表示装置を実現できる。
【００１１】
この画像表示装置は、前記記憶部に記憶される前記対応データは、前記放電灯の駆動電圧が大きくなるほど前記放電灯への供給電力が大きくなるように前記駆動電圧と前記供給電力とが対応付けられたデータであってもよい。
【００１２】
この画像表示装置は、前記記憶部に記憶される前記対応データは、前記放電灯の駆動電圧が基準電圧以上となる範囲では、前記放電灯への供給電力が一定値となるように前記駆動電圧と前記供給電力とが対応付けられたデータであってもよい。
【００１３】
本発明に係る放電灯の駆動方法は、放電灯の駆動電圧を検出し、前記放電灯の駆動電圧と前記放電灯への供給電力とが対応付けられた対応データに基づいて、前記放電灯への供給電力を制御することを特徴とする。
【００１４】
本発明によれば、放電灯の駆動電圧に応じて放電灯への供給電力を制御することができる。したがって、放電灯の長期間の使用による照度低下を抑制できる。
【図面の簡単な説明】
【００１５】
【図１】本実施形態に係るプロジェクターの全体構成の一例を示す図。
【図２】本実施形態に係る点灯装置の回路構成の一例を示す図。
【図３】本実施形態に係る放電灯の駆動方法を説明するためのフローチャート。
【図４】放電灯の駆動電圧と放電灯への供給電力とが対応付けられた対応データの一例を示す表。
【図５】放電灯の通算点灯時間と駆動電圧との関係の一例を示すグラフ。
【発明を実施するための形態】
【００１６】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００１７】
１．プロジェクターの構成
図１は、本実施形態に係るプロジェクターの全体構成の一例を示す図である。プロジェクターは、本発明における画像表示装置の一例である。
【００１８】
本実施形態に係るプロジェクター５００は、点灯装置１を含む。点灯装置１は、放電灯９０を点灯駆動する。本実施形態においては、放電灯９０として高圧水銀ランプやメタルハライドランプ等の放電灯を用いる例について説明する。
【００１９】
点灯装置１は、起動時に放電灯９０の電極間に高電圧の電圧パルスを発生して絶縁破壊させて放電路を形成し、以後、放電灯９０が放電を維持するための駆動電流Ｉを所与の供給電力で供給する。
【００２０】
本実施形態に係るプロジェクター５００は、制御部２を含む。制御部２は、プロジェクターの点灯開始から消灯に至るまでの動作を制御する。制御部２は、放電灯９０の駆動電圧Ｖｌａ等、放電灯９０の駆動状態に関する情報を、点灯装置１から通信信号Ｓとして受け取る。さらに、制御部２は、放電灯９０への供給電力を指示する制御命令を通信信号Ｓとして点灯装置１に送信する。また、プロジェクター５００がユーザーからの点灯操作を受け付けた場合に、点灯装置１に通信信号Ｓとして点灯命令を送信してもよい。また、プロジェクター５００がユーザーからの消灯操作を受け付けた場合に、点灯装置１に通信信号Ｓとして消灯命令を送信してもよい。
【００２１】
制御部２は、その一部又は全てを半導体集積回路で構成してもよい。また、制御部２は、専用回路により実現して上述した各種制御を行うようにすることもできるが、例えばＣＰＵ（Central Processing Unit）が記憶部３等に記憶された制御プログラムを実行することによりコンピューターとして機能し、これらの処理の各種制御を行うようにすることもできる。
【００２２】
本実施形態に係るプロジェクター５００は、記憶部３を含む。記憶部３は、放電灯９０の駆動電圧と放電灯９０への供給電力とが対応付けられた対応データを記憶する。記憶部３は、例えば、不揮発性メモリー等で構成される。記憶部３は、制御部２とバス等で接続され、制御部２から記憶部３に記憶された対応データを参照できるように構成されている。なお、記憶部３を点灯装置１の内部に構成し、通信信号Ｓを介して制御部２から参照できるように構成してもよい。
【００２３】
本実施形態に係るプロジェクター５００は、画像信号変換部５１０、画像処理装置５７０、直流電源装置８０、ミラー群５５０、液晶パネル５６０Ｒ、５６０Ｇ、５６０Ｂを含んでもよい。
【００２４】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。
【００２５】
画像処理装置５７０は、３つの画像信号５１２Ｒ、５１２Ｇ、５１２Ｂに対してそれぞれ画像処理を行い、液晶パネル５６０Ｒ、５６０Ｇ、５６０Ｂをそれぞれ駆動するための駆動信号５７２Ｒ、５７２Ｇ、５７２Ｂを出力する。
【００２６】
直流電源装置８０は、外部の交流電源６００から供給される交流電圧を一定の直流電圧に変換し、トランス（図示しないが、直流電源装置８０に含まれる）の２次側にある画像信号変換部５１０、画像処理装置５７０及びトランスの１次側にある点灯装置１に直流電圧を供給する。
【００２７】
放電灯９０が発する光束は、ミラー群５５０に含まれる２つのダイクロイックミラーを通してそれぞれＲ、Ｇ、Ｂの色光に分離され、その他のミラーで反射されて、それぞれ液晶パネル５６０Ｒ、５６０Ｇ、５６０Ｂに透過される。
【００２８】
液晶パネル５６０Ｒ、５６０Ｇ、５６０Ｂには、それぞれ駆動信号５７２Ｒ、５７２Ｇ、５７２Ｂによる画像を形成し、当該画像によって各液晶パネルを透過する色光の光量を変調する光変調手段である。当該光変調手段により変調された各色光は、再びダイクロイックプリズムで合成されてスクリーン７００に投射される。
【００２９】
２．点灯装置の構成
図２は、本実施形態に係る点灯装置の回路構成の一例を示す図である。
【００３０】
点灯装置１は、電力制御回路２０を含む。電力制御回路２０は、放電灯９０への供給電力を生成する。本実施形態においては、電力制御回路２０は、直流電源装置８０を入力とし、当該入力電圧を降圧して直流電流Ｉｄを出力するダウンチョッパー回路で構成されている。
【００３１】
電力制御回路２０は、スイッチ素子２１、ダイオード２２、コイル２３及びコンデンサー２４を含んで構成することができる。スイッチ素子２１は、例えばトランジスターで構成することができる。本実施形態においては、スイッチ素子２１の一端は直流電源装置８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源装置８０の負電圧側に接続されている。スイッチ素子２１の制御端子には点灯制御部４０から電流制御信号が入力されてスイッチ素子２１のＯＮ／ＯＦＦが制御される。電流制御信号には、例えばＰＷＭ（Pulse Width Modulation）制御信号が用いられてもよい。
【００３２】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００３３】
点灯装置１は、交流変換回路３０を含む。交流変換回路３０は、電力制御回路２０から出力される直流電流Ｉｄを入力し、所与のタイミングで極性反転することにより、任意のデューティー比や周波数をもつ放電灯駆動用の駆動電流Ｉを生成出力する。本実施形態においては、交流変換回路３０はインバーターブリッジ回路（フルブリッジ回路）で構成されている。
【００３４】
交流変換回路３０は、例えば、トランジスターなどの第１乃至第４のスイッチ素子３１乃至３４を含んで構成され、直列接続された第１及び第２のスイッチ素子３１及び３２と、直列接続された第３及び第４のスイッチ素子３３及び３４を、互いに並列接続して構成される。第１乃至第４のスイッチ素子３１乃至３４の制御端子には、それぞれ点灯制御部４０から交流変換制御信号が入力され、第１乃至第４のスイッチ素子３１乃至３４のＯＮ／ＯＦＦが制御される。
【００３５】
交流変換回路３０は、第１及び第４のスイッチ素子３１及び３４と、第２及び第３のスイッチ素子３２及び３３を交互にＯＮ／ＯＦＦを繰り返すことにより、電力制御回路２０から出力される直流電流Ｉｄの極性を交互に反転し、第１及び第２のスイッチ素子３１及び３２の共通接続点及び第３及び第４のスイッチ素子３３及び３４の共通接続点から、制御されたデューティー比や周波数等をもった駆動電流Ｉを生成出力する。
【００３６】
すなわち、第１及び第４のスイッチ素子３１及び３４がＯＮの時には第２及び第３のスイッチ素子３２及び３３をＯＦＦにし、第１及び第４のスイッチ素子３１及び３４がＯＦＦの時には第２及び第３のスイッチ素子３２及び３３をＯＮにするように制御する。したがって、第１及び第４のスイッチ素子３１及び３４がＯＮの時には、コンデンサー２４の一端から第１のスイッチ素子３１、放電灯９０、第４のスイッチ素子３４の順に流れる駆動電流Ｉが発生する。また、第２及び第３のスイッチ素子３２及び３３をＯＮの時には、コンデンサー２４の一端から第３のスイッチ素子３３、放電灯９０、第２のスイッチ素子３２の順に流れる駆動電流Ｉが発生する。
【００３７】
点灯装置１は、点灯制御部４０を含む。点灯制御部４０は、電力制御回路２０を制御して駆動電流Ｉの電流値を制御することにより放電灯９０への供給電力を制御する。また、点灯制御部４０は、交流変換回路３０を制御して駆動電流Ｉの極性反転タイミングを制御することにより、駆動電流Ｉのデューティー比、周波数等を制御する。
【００３８】
また、点灯制御部４０は、プロジェクター５００の制御部２との間で通信信号Ｓを送受信する。例えば、点灯制御部４０は、放電灯９０の駆動電圧Ｖｌａ等、放電灯９０の駆動状態に関する情報を制御部２へ送信する。また例えば、点灯制御部４０は、放電灯９０への供給電力を指示する制御命令を制御部２から受信する。
【００３９】
点灯制御部４０は、制御部２から受信した制御命令に基づいて、放電灯９０への供給電力を制御する。
【００４０】
点灯制御部４０の構成は、特に限定されるものではないが、本実施形態においては、点灯制御部４０は、システムコントローラー４１、電力制御回路コントローラー４２及び交流変換回路コントローラー４３含んで構成されている。なお、点灯制御部４０は、その一部又は全てを半導体集積回路で構成してもよい。
【００４１】
システムコントローラー４１は、電力制御回路コントローラー４２及び交流変換回路コントローラー４３を制御することにより、電力制御回路２０及び交流変換回路３０を制御する。システムコントローラー４１は、後述する点灯装置１内部に設けた電圧検出部６０により検出した駆動電圧Ｖｌａ及び電流検出部により検出した駆動電流Ｉに基づき、電力制御回路コントローラー４２及び交流変換回路コントローラー４３を制御してもよい。
【００４２】
本実施形態においては、システムコントローラー４１は内蔵記憶部４４を含んで構成されている。なお、内蔵記憶部４４は、システムコントローラー４１とは独立に設けてもよい。
【００４３】
システムコントローラー４１は、内蔵記憶部４４に格納された情報に基づき、電力制御回路２０及び交流変換回路３０を制御してもよい。内蔵記憶部４４には、例えば駆動電流Ｉが同一極性で継続する保持時間、駆動電流Ｉの電流値、デューティー比、周波数、波形等の駆動パラメーターに関する情報が格納されていてもよい。
【００４４】
電力制御回路コントローラー４２は、システムコントローラー４１からの制御信号に基づき、電力制御回路２０へ電流制御信号を出力することにより、電力制御回路２０を制御する。
【００４５】
交流変換回路コントローラー４３は、システムコントローラー４１からの制御信号に基づき、交流変換回路３０へ交流変換制御信号を出力することにより、交流変換回路３０を制御する。
【００４６】
なお、点灯制御部４０は、専用回路により実現して上述した制御や後述する各種制御を行うようにすることもできるが、例えばＣＰＵ（Central Processing Unit）が内蔵記憶部４４等に記憶された制御プログラムを実行することによりコンピューターとして機能し、これらの処理の各種制御を行うようにすることもできる。
【００４７】
点灯装置１は、電圧検出部６０を含む。電圧検出部６０は、放電灯９０の駆動電圧Ｖｌａを検出し、駆動電圧情報を出力する。本実施形態においては、電圧検出部６０は、抵抗６１及び６２を含んで構成されている。電圧検出部６０は、放電灯９０と並列に、互いに直列接続された抵抗６１及び６２で分圧した電圧により駆動電圧Ｖｌａを検出する。
【００４８】
点灯装置１は、電流検出部を含んでもよい。電流検出部は、駆動電流Ｉを検出し、駆動電流情報を出力する。本実施形態においては、電流検出部は、抵抗６３を含んで構成されている。電流検出部は、放電灯９０に直列に接続された抵抗６３に発生する電圧により駆動電流Ｉを検出する。
【００４９】
点灯装置１は、イグナイター回路７０を含んでもよい。イグナイター回路７０は、放電灯９０の点灯開始時にのみ動作し、放電灯９０の点灯開始時に放電灯９０の電極間を絶縁破壊して放電路を形成するために必要な高電圧（通常制御動作時よりも高い電圧）を放電灯９０の電極間に供給する。本実施形態においては、イグナイター回路７０は、放電灯９０と並列に接続されている。
【００５０】
３．放電灯の駆動方法
本実施形態に係るプロジェクター５００における放電灯の駆動方法では、放電灯９０の駆動電圧Ｖｌａを検出し、放電灯９０の駆動電圧Ｖｌａと放電灯９０への供給電力とが対応付けられた対応データに基づいて、放電灯９０への供給電力を制御する。
【００５１】
図３は、本実施形態に係る放電灯の駆動方法を説明するためのフローチャートである。
【００５２】
まず、放電灯９０の駆動電圧Ｖｌａを検出する（ステップＳ１００）。本実施形態において、放電灯９０の駆動電圧Ｖｌａは、点灯装置１の電圧検出部６０で検出する。検出した駆動電圧Ｖｌａは、通信信号Ｓを介して制御部２が読み出す。
【００５３】
次に、制御部２は、駆動電圧Ｖｌａと対応データに基づいて、放電灯９０への供給電力を選択する（ステップＳ１０２）。本実施形態では、制御部２は、電圧検出部６０で検出した駆動電圧Ｖｌａと、記憶部３に記憶された対応データに基づいて、放電灯９０への供給電力を選択する。
【００５４】
図４は、放電灯９０の駆動電圧Ｖｌａと放電灯９０への供給電力とが対応付けられた対応データの一例を示す表である。図４に示す例では、制御部２は、放電灯９０の駆動電圧Ｖｌａが１００Ｖ未満である場合には供給電力として２００Ｗを、放電灯９０の駆動電圧Ｖｌａが１００Ｖ以上１２０Ｖ未満である場合には供給電力として２１０Ｗを、放電灯９０の駆動電圧Ｖｌａが１２０Ｖ以上である場合には供給電力として２２０Ｗを選択する。
【００５５】
図５は、放電灯９０の通算点灯時間と駆動電圧Ｖｌａとの関係の一例を示すグラフである。図５に示すように、放電灯９０を長期間使用すると、放電灯９０の駆動電圧Ｖｌａはおおむね上昇傾向を示す。
【００５６】
同一の供給電力で放電灯９０を駆動した場合、放電灯９０の駆動電圧Ｖｌａが上昇すると放電灯９０の駆動電流Ｉが減少するため、放電灯９０の照度が低下する。加えて、放電灯９０の電極間距離が大きくなることによってアーク放電の位置や大きさが変化すると、プロジェクター５００の光学系（図１におけるミラー群５５０等）による集光領域から放電灯９０の発光領域の一部が外れることになるため、プロジェクター５００全体としての照度がさらに低下することになる。
【００５７】
したがって、図４に示す対応データは、放電灯９０の駆動電圧Ｖｌａが大きくなるほど放電灯９０への供給電力が大きくなるように、駆動電圧Ｖｌａと供給電力とが対応付けられたデータとなっている。このように、放電灯９０への供給電力を大きくすることにより、プロジェクター全体としての照度の低下を抑制している。
【００５８】
なお、図４に示す対応データは、放電灯９０の駆動電圧Ｖｌａに基づいて３段階に区分されたデータであるが、２段階であっても４段階以上であってもよい。
【００５９】
図３におけるステップＳ１０２の後に、制御部２は、ステップＳ１０２で選択した供給電力に基づいて、点灯装置１に放電灯９０への供給電力を指示する制御命令を送信する（ステップＳ１０４）。本実施形態においては、制御部２は、制御命令を通信信号Ｓとして点灯装置１に送信し、点灯装置１の点灯制御部４０が制御命令を受信する。
【００６０】
ステップＳ１０４の後に、点灯装置１は、ステップＳ１０４で受信した制御命令に基づいて放電灯９０への供給電力を制御する（ステップＳ１０６）。本実施形態においては、点灯装置１の電力制御回路コントローラー４２が電力制御回路２０を制御することにより、放電灯９０への供給電力を制御する。
【００６１】
このように、制御部２は、点灯装置１に制御命令を送信することにより、電圧検出部６０で検出された放電灯９０の駆動電圧Ｖｌａと、記憶部３に記憶された対応データとに基づいて、放電灯９０への供給電力を制御することができる。
【００６２】
また、制御部２は、放電灯９０の駆動電圧Ｖｌａが大きくなるほど放電灯９０への供給電力が大きくなるように制御することで、プロジェクター５００全体としての照度低下を抑制している。
【００６３】
このように、本実施形態に係るプロジェクター５００によれば、放電灯９０の駆動電圧Ｖｌａに応じて放電灯９０への供給電力を制御することができる。したがって、長期間の使用による照度低下を抑制できるプロジェクターを実現できる。
【００６４】
上述の実施形態においては、種々の変形が可能である。例えば、記憶部３に記憶される対応データは、放電灯９０の駆動電圧Ｖｌａが基準電圧以上となる範囲では、放電灯９０への供給電力が一定値となるように対応付けられたデータであってもよい。基準電圧は、例えば放電灯９０の寿命末期と考えられる電圧としてもよい。
【００６５】
放電灯９０の寿命末期に放電灯９０への供給電力を大きくすると、放電灯９０の寿命を短くしてしまう可能性がある。したがって、放電灯９０の駆動電圧Ｖｌａが基準電圧以上となる範囲では、放電灯９０への供給電力がそれ以上大きくならない一定値となるような対応データを記憶部３に記憶させることにより、放電灯９０の寿命を確保することができる。
【００６６】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【００６７】
上記各実施形態においては、透過型の光変調手段を備えたプロジェクターを例示して説明したが、本発明はこれに限定されるものではなく、反射型の光変調手段を備えたプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型の光変調手段を備えたプロジェクターにこの発明を適用した場合にも、透過型の光変調手段を備えたプロジェクターと同様の効果を得ることができる。
【００６８】
上記各実施形態においては、透過型の光変調手段を備えたプロジェクターを例示して説明したが、本発明はこれに限定されるものでなく、種々の画像表示装置にも適用することができる。例えば、リアプロジェクション方式の画像表示装置、オーバーヘッドプロジェクター（ＯＨＰ）、映写機など、光源に放電灯を採用する機器にこの発明を適用した場合にも、上記効果を得ることができる。
【００６９】
なお、本発明は本実施形態に限定されず、本発明の要旨の範囲内で種々の変形実施が可能である。
【００７０】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００７１】
１  点灯装置、２  制御部、３  記憶部、２０  電力制御回路、２１  スイッチ素子、２２  ダイオード、２３  コイル、２４  コンデンサー、３０  交流変換回路、３１〜３４  スイッチ素子、４０  点灯制御部、４１  システムコントローラー、４２  電力制御回路コントローラー、４３  交流変換回路コントローラー、４４  内蔵記憶部、６０  電圧検出部、６１〜６３  抵抗、７０  イグナイター回路、８０  直流電源装置、９０  放電灯、５００  プロジェクター、５０２  画像信号、５１０  画像信号変換部、５１２Ｒ  画像信号（Ｒ）、５１２Ｇ  画像信号（Ｇ）、５１２Ｂ  画像信号（Ｂ）、５５０  ミラー群、５６０Ｒ  液晶パネル（Ｒ）、５６０Ｇ  液晶パネル（Ｇ）、５６０Ｂ  液晶パネル（Ｂ）、５７０  画像処理装置、５７２Ｒ  液晶パネル（Ｒ）駆動信号、５７２Ｇ  液晶パネル（Ｇ）駆動信号、５７２Ｂ  液晶パネル（Ｂ）駆動信号、６００  交流電源、７００  スクリーン
【図１】
2010205601.tif 000003
【図２】
2010205601.tif 000004
【図３】
2010205601.tif 000005
【図４】
2010205601.tif 000006
【図５】
2010205601.tif 000007